(57)【要約】  本発明は、移動無線ユニットとラジオ放送ユニットの相互の制御を可能にする、遠隔通信端末機器、特に移動電話における制御モジュールに関する。これに加えて、システム全体の設定情報を制御チャンネルを通じて伝送することもできる。
2008533780.tif 000002
【特許請求の範囲】
【請求項１】
第１の双方向通信ユニット（移動無線ユニット）を有し、前記第１の通信ユニットは公共および／または民間の通信網を用いて通信をするために利用され、さらに、基本的に（データ）ラジオ放送の受信に利用される少なくとも１つの第２の通信ユニット（ラジオ放送ユニット）を有している遠隔通信端末機器の制御モジュールであって、前記制御モジュールによって、１つの制御パラメータに割り当てられた少なくとも１つのデータ信号を、前記第１の通信ユニットと前記第２の通信ユニットとの間で伝送可能であることを特徴とする制御モジュール。
【請求項２】
前記制御モジュールは集中型のモジュールとして遠隔通信端末機器に配置されていることを特徴とする、請求項１に記載の制御モジュール。
【請求項３】
前記制御モジュールは遠隔通信端末機器に分散して配置されていることを特徴とする、請求項１に記載の制御モジュール。
【請求項４】
前記制御モジュールは移動無線ユニットおよび／またはラジオ放送ユニットの少なくとも１つの設定パラメータに関する情報を１つまたは複数の制御チャンネルを介して発信することを特徴とする、請求項１から３までのいずれか１項に記載の遠隔通信端末機器を動作させる方法。
【請求項５】
ユーザにより前記制御モジュールを用いてラジオ放送データストリームの個々のアプリケーションからそのまま移動無線接続を開始できることを特徴とする、請求項４に記載の遠隔通信端末機器を動作させる方法。
【請求項６】
受信された照会に応じて、ラジオ放送ユニット（ブロードキャスト部分）で設定されているパラメータに関する情報が、特にユーザによるリリース後に、制御チャンネルまたはその他のデータチャンネルを用いて第１のエンティティへ、特にサービスプロバイダへ伝送される（プッシュモード）ことを特徴とする、請求項４に記載の遠隔通信端末機器を動作させる方法。
【請求項７】
第１のエンティティ、特にサービスプロバイダの受信された照会に応じて、ラジオ放送部分で設定されている受信チャンネルに関する情報が、制御チャンネルまたはその他のデータチャンネルを用いて当該第１のエンティティへ伝送される（プルモード）ことを特徴とする、請求項４に記載の遠隔通信端末機器を動作させる方法。
【発明の詳細な説明】
【技術分野】
【０００１】
本発明は、特に移動電話や携帯型のハンドヘルドコンピュータのように、バイラテラルな（移動）通信とラジオ放送とを含んでいる装置のシステムにおける制御に関する。
【背景技術】
【０００２】
ラジオ放送チャンネルを通じて発信されるデータストリームの受信手段を備えている移動電話、ＰＤＡ、モバイルコンピュータなどは、現在、相互に制御をすることができない切り離された複数の装置を有している。操作者によって、移動無線部分かラジオ放送部分（ブロードキャスト部分）かのいずれかが操作される。それ以外の設定事項を照会したり、他のシステムへ能動的に介入したりすることは不可能である。ＭＨＰ規格は、両方のシステムの間でのインターワーキングを高いレベルで定めているものの、これは他のシステムの設定パラメータを対象とするものではない。この規格は、移動式の装置に適用することもできない。
【発明の開示】
【発明が解決しようとする課題】
【０００３】
そこで本発明の課題は、冒頭に述べた装置において、移動無線ユニットとラジオ放送ユニットとの相互の制御を可能にするとともに、これに加えて、これら両方のユニットの設定パラメータに関する情報の伝送を可能にする制御ユニットを設けることである。
【課題を解決するための手段】
【０００４】
この課題は、本発明によると、独立請求項の技術的教示によって解決され、その内容を参照するようここで指摘しておく。
【０００５】
本発明の有利な実施形態および発展例は従属請求項に記載されており、その内容を参照するようここで指摘しておく。
【０００６】
設定された課題は、遠隔通信端末機器に制御モジュールが設けられ、この制御モジュールは移動無線ユニットともラジオ放送ユニットとも接続されていることによって解決される。本発明によれば、この制御モジュールによって、設定されているラジオ放送チャンネルを移動無線制御チャンネルを通じて、たとえば装置の型式と、電話番号と、ラジオ放送チャンネルセグメントとで構成されるデータセットとして、ラジオ放送番組コンテンツの提供者（サービスプロバイダ）に伝えることが可能である。サービスプロバイダによるパラメータのトリガリング／照会も同じく可能である。
【０００７】
この機能はオフにすることが可能であるように、かつ顧客によって管理可能なように構成される。それによってデータ保護の要求事項が満たされる。
【０００８】
さらに、移動無線制御チャンネルを通じて、ラジオ放送チャンネルないしラジオ放送セグメントを設定することが可能である。
【０００９】
本発明の思想の主要な利点は、ラジオ放送受信部分が内蔵されている遠隔通信端末機器の制御手段が提供ないし改良されることにあり、ラジオ放送受信は遠隔通信網を介して行われるか、または通常の高周波伝送によって行われる。
【００１０】
添付の図面を参照しながら本発明について詳しく説明する。この説明により、個々の構成要件の組み合わせとして構成される構成要件も含めて、本発明の構成要件が明らかとなる。
【発明を実施するための最良の形態】
【００１１】
以下においては、本発明の思想の考えられる１つの具体化例の説明を一例として記述する。
【００１２】
まず最初に、ユーザの視点から見た適用例の一例について説明し、次いで、端末機器での手順進行について説明する。
【００１３】
図１は、ラジオ放送部分が始動した後に現れるスタートページの一例を示している。「ブロードキャスト能力のある」移動電話の典型的なユーザインターフェースを見ることができる。図示しているインターフェースは、（データ）ラジオ放送部分の設定手段だけでなく、（データ）移動無線を介してポータル、ウェブサイト、またはこれに類似するデータ接続をインタラクティブに成立させる部分の設定手段も含んでいる。
【００１４】
画面の左側半分には、中央部分に、一般にアクセス可能ないわゆる「Ｆｒｅｅ  ｔｏ  Ａｉｒ（無料放送）」コンテンツの再生面がある（Ｌｉｖｅ  Ｃｏｎｔｅｎｔ  ｆｒｅｅ２ａｉｒ）。その上のセルには、設定されている受信チャンネルに関する事項が表示されている（Ｃｈａｎｎｅｌ  Ｓｅｌｅｃｔｉｏｎ）。下端の画面には、情報が流されるポータルに関する表示を見ることができる（Ｈｅａｄｌｉｎｅ  ｏｆ  ｔｈｅ  Ｐｏｒｔａｌ）。
【００１５】
右半分では、ロゴ等を表示するための区画が上隅に設けられており、その下には、ユーザによって入力のために利用することができる複数のインタラクティブボタン（“Ｉｎｔｅｒａｃｔｉｖｅ  Ｂｕｔｔｏｎｓ”）が配置されている。そしてその下には、電子番組表ＥＰＧ／ＥＳＧの小さい区画が配置されており、下隅の右側には、移動無線動作に切り換えるためのインタラクティブボタンがある。
【００１６】
図２は、移動無線チャンネルを通じてのポータルアクセスの動作モードのときのユーザインターフェースの一例を示している。
【００１７】
図示している画面は、集中したサービス提供者へのポータルアクセスのための典型的なユーザインターフェースを示している。顧客は、表示されている提供内容の説明が行われるページにいる。主なスペースを占めているのは、番組提供についての表示である。この提供内容のなかから、顧客は特定のコンテンツ（ビデオ、ファイル、ウェブコンテンツ）を指定することができ、それから伝送を開始すれば当該コンテンツが（それが利用可能である場合には）提供される。顧客は、解読キーとブロードキャスト部分の設定パラメータとを含む「プッシュ・ノーティフィケーション」を受け取る。
【００１８】
図３は、本発明による制御モジュールが遠隔通信端末機器の他の構成要素とどのように組み合わされているのかを示している。制御モジュールは、一方では、種々の規格に基づいてコンテンツを伝送する１つまたは複数のラジオ放送ユニットと接続されている。ＤＶＢ−ＨはＤｉｇｉｔａｌ  Ｖｉｄｅｏ  Ｂｒｏａｄｃａｓｔ  ｆｕｒ  Ｈａｎｄｈｅｌｄｓの略であり、ＤＡＢはＤｉｇｉｔａｌ  Ａｕｄｉｏ  Ｂｒｏａｄｃａｓｔの略であり、以下同様である。
【００１９】
移動無線の側には、そのつど有効および／または利用可能な伝送規格に基づく双方向のユニットすなわち送受信ユニットが設けられている。
【００２０】
ＧＳＭ／ＧＰＲＳは、現在広く普及しているデータ伝送方式ＧＰＲＳを用いたデジタル規格に基づいて通信をするためのユニットを意味している。ＵＭＴＳは、最近導入されたＵｎｉｖｅｒｓａｌ  Ｍｏｂｉｌｅ  Ｔｅｌｅｃｏｍｍｕｎｉｃａｔｉｏｎ  Ｓｙｓｔｅｍの略であり、ＥＤＧＥは“Ｅｎｈａｎｃｅｄ  Ｄａｔａ  Ｒａｔｅｓ  ｆｏｒ  Ｇｌｏｂａｌ  Ｅｖｏｌｕｔｉｏｎ”の略である。
【００２１】
本発明は、よく知られているラジオ放送や移動無線規格に限定されるものではなく、原則として、現在または未来のあらゆるシステムで適用できる。
【００２２】
本発明による制御モジュールは、バスシステムにより、一方では１つまたは複数のラジオ放送ユニットにつながれるとともに、他方では１つまたは複数の移動無線ユニットにつながれており、さらには、相応のアプリケーションプログラムや電子データ処理コンポーネントを含むユニットにもつながれている。そして、ユーザとのインターフェースは、相応のユーザインターフェースを介して成立する。
【００２３】
本発明による制御モジュールは、ラジオ放送部分と移動無線部分に由来する設定や照会を引き受けるものであり、これらを、選択された１つまたは複数のアプリケーションと有意義に結びつけるものである。
【００２４】
本発明の要諦は、遠隔通信端末機器で従来別々に動作していたシステムであるラジオ放送受信ユニットと移動無線ユニットとを組み合わせたことにある。
【００２５】
本発明の発明の対象物は、個々の請求項の対象物から成立するだけでなく、個々の請求項の組み合わせからも成立する。
【００２６】
要約書を含めた本件明細書に開示されているすべての事項および構成要件、特に図面に示されている空間的構成は、それが単独または相互の組み合わせで従来技術に対して新規である限りにおいて、本発明の要部として権利申請される。
【図面の簡単な説明】
【００２７】
【図１】ラジオ放送部分の動作後に現れる、移動無線端末機器のスタートページの一例である。
【図２】「移動無線チャンネルを通じてのポータルアクセス」の動作モードのときのユーザインターフェースの一例である。
【図３】対応する遠隔通信端末機器の移動無線ユニットおよびラジオ放送ユニットと連携する、本発明による制御モジュールの配列である。
【符号の説明】
【００２８】
ＤＶＢ−Ｈ    Ｄｉｇｉｔａｌ  Ｖｉｄｅｏ  Ｂｒｏａｄｃａｓｔ  ｆｏｒ  Ｈａｎｄｈｅｌｄｓ
ＤＸＢ    ＤＡＢおよびＤＶＢの上位概念
ＥＤＧＥ    “Ｅｎｈａｎｃｅｄ  Ｄａｔａ  Ｒａｔｅｓ  ｆｏｒ  Ｇｌｏｂａｌ  Ｅｖｏｌｕｔｉｏｎ”（８ＰＳＫ変調に依拠するＧＳＭシステムのデータ伝送規格は最大５５３．６ｋｂ／ｓのユーザデータレートが可能である）
ＥＰＧ    Ｅｌｅｃｔｒｏｎｉｃ  Ｐｒｏｇｒａｍ  Ｇｕｉｄｅ（電子番組表）
ＥＳＧ    Ｅｌｅｃｔｒｏｎｉｃ  Ｓｅｒｖｉｃｅ  Ｇｕｉｄｅ（電子サービスガイド）
ＧＰＲＳ    ＧＳＭ  Ｐａｃｋｅｔ  Ｒａｄｉｏ  Ｓｙｓｔｅｍ
ＧＳＭ    Ｇｌｏｂａｌ  Ｓｙｓｔｅｍ  ｆｏｒ  Ｍｏｂｉｌｅ  Ｃｏｍｍｕｎｉｃａｔｉｏｎ
Ｌｉｖｅ  Ｓｔｒｅａｍ    中間記憶を行わないリアルタイムデータ伝送
ＭＨＰ    Ｍｕｌｔｉ−Ｍｅｄｉａ  Ｈｏｍｅ  Ｐｌａｔｔｆｏｒｍ
ＰＤＡ    Ｐｅｒｓｏｎａｌ  Ｄｉｇｉｔａｌ  Ａｓｓｉｓｔａｎｔ（携帯情報端末）
Ｐｏｒｔａｌ    サーバに格納されているコンテンツへアクセスできるインターネットアドレス
Ｓｅｒｖｉｃｅ  Ｐｒｏｖｉｄｅｒ    サービス提供者
ＵＭＴＳ    Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＲＬ    インターネットアドレス
【図１】
2008533780.tif 000003
【図２】
2008533780.tif 000004
【図３】
2008533780.tif 000005
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
第１の双方向通信ユニット（移動無線ユニット）を有し、前記第１の通信ユニットは公共および／または民間の通信網を用いて通信をするために利用され、さらに、基本的に（データ）ラジオ放送の受信に利用される少なくとも１つの第２の通信ユニット（ラジオ放送ユニット）を有している遠隔通信端末機器の制御モジュールであって、前記制御モジュールによって、１つの制御パラメータに割り当てられた少なくとも１つのデータ信号を、前記第１の通信ユニットと前記第２の通信ユニットとの間で伝送可能であり、
ラジオ放送データストリームの個々のアプリケーションからそのまま移動無線接続を開始するための手段を前記制御モジュールに有していることを特徴とする制御モジュール。
【請求項２】
前記制御モジュールは集中型のモジュールとして遠隔通信端末機器に配置されていることを特徴とする、請求項１に記載の制御モジュール。
【請求項３】
前記制御モジュールは遠隔通信端末機器に分散して配置されていることを特徴とする、請求項１に記載の制御モジュール。
【請求項４】
前記制御モジュールは移動無線ユニットおよび／またはラジオ放送ユニットの少なくとも１つの設定パラメータに関する情報を１つまたは複数の制御チャンネルを介して発信する方法であって、
ユーザにより前記制御モジュールを用いてラジオ放送データストリームの個々のアプリケーションからそのまま移動無線接続を開始できることを特徴とする、請求項１から３までのいずれか１項に記載の遠隔通信端末機器を動作させる方法。
【請求項５】
受信された照会に応じて、ラジオ放送ユニット（ブロードキャスト部分）で設定されているパラメータに関する情報が、特にユーザによるリリース後に、制御チャンネルまたはその他のデータチャンネルを用いて第１のエンティティへ、特にサービスプロバイダへ伝送される（プッシュモード）ことを特徴とする、請求項４に記載の遠隔通信端末機器を動作させる方法。
【請求項６】
第１のエンティティ、特にサービスプロバイダの受信された照会に応じて、ラジオ放送部分で設定されている受信チャンネルに関する情報が、制御チャンネルまたはその他のデータチャンネルを用いて当該第１のエンティティへ伝送される（プルモード）ことを特徴とする、請求項４に記載の遠隔通信端末機器を動作させる方法。
【手続補正２】
【補正対象書類名】明細書
【補正対象項目名】０００２
【補正方法】変更
【補正の内容】
【０００２】
ラジオ放送チャンネルを通じて発信されるデータストリームの受信手段を備えている移動電話、ＰＤＡ、モバイルコンピュータなどは、現在、相互に制御をすることができない切り離された複数の装置を有している。操作者によって、移動無線部分かラジオ放送部分（ブロードキャスト部分）かのいずれかが操作される。それ以外の設定事項を照会したり、他のシステムへ能動的に介入したりすることは不可能である。ＭＨＰ規格は、両方のシステムの間でのインターワーキングを高いレベルで定めているものの、これは他のシステムの設定パラメータを対象とするものではない。この規格は、移動式の装置に適用することもできない。
国際公開第０３／０４５０６４号パンフレットは、第１の双方向の通信ユニットを有し、第１の通信ユニットは公共および／または民間の通信網を用いて通信をするために利用され、さらに、基本的にラジオ放送の受信に利用される少なくとも１つの第２の通信ユニットをラジオ放送受信機の形態で有している、遠隔通信端末機器の制御モジュールを開示しており、前記制御モジュールによって、１つの制御パラメータに割り当てられた少なくとも１つのデータ信号を、第１の通信ユニットと第２の通信ユニットとの間で伝送可能である。
米国特許出願公開第２００４／０２０３４０６Ａ１号明細書は、移動無線網で動作させるため、および、特にＲＤＳ情報などのラジオ放送信号を受信するための無線端末機器を開示している。ＲＤＳ情報によって、移動無線網を通じたサービスプロバイダのサービスを利用することができる。
【国際調査報告】
2008533780.tif 000006
2008533780.tif 000007
2008533780.tif 000008
2008533780.tif 000009
2008533780.tif 000010
2008533780.tif 000011